(57)【特許請求の範囲】
【請求項１】
上げ下げ障子の上框に取り付けられるケースと、このケース内に収容され、窓枠に対する係合部分がケース外部に突出するとともに、ケース内に内設された付勢手段によって突出側に付勢保持されたラッチと、前記ケースに一体的に取り付けられ、窓内方側へのスライド操作によって前記付勢力に抗して前記ラッチを窓内方側に移動させ窓枠に対する係合を解除する摘み部と、この摘み部内部に、摘み部の窓内方側面に一部を露出した状態で没入側に揺動可能に内装され、サブロック機能を与えるトリガー部材とからなる上げ下げ窓の内倒しラッチ装置であって、
平常時は、前記トリガー部材から延在する部分がケースの一部に係合することにより前記摘み部の窓内方側への移動を阻止し、前記トリガー部材の露出部分を押操作すると前記トリガー部材から延在する部分の係合が解除され、摘み部の窓内方側への移動を許容するようにしたことを特徴とする上げ下げ窓の内倒しラッチ装置。
【請求項２】
上げ下げ障子の上框に取り付けられるケースと、このケース内に収容され、窓枠に対する係合部分がケース外部に突出するとともに、ケース内に内設された付勢手段によって突出側に付勢保持されたラッチと、前記ケースに一体的に取り付けられ、窓内方側へのスライド操作によって前記付勢力に抗して前記ラッチを窓内方側に移動させ窓枠に対する係合を解除する摘み部と、この摘み部内部に、摘み部の窓内方側面に一部を露出した状態で没入側に揺動可能に内装され、サブロック機能を与えるトリガー部材とからなる上げ下げ窓の内倒しラッチ装置であって、
前記ケースの上面板であって前記摘み部との合わせ面部分に、矩形状の開口を形成するとともに、この矩形状開口の窓内方側端縁より部材長手方向に沿ってスリット状溝を形成し、前記トリガー部材から延在する逆Ｔ字状サブロック片の水平フランジを前記矩形状開口の窓内方側端縁に係合させることにより平常時は、前記摘み部の窓内方側への移動を阻止し、前記トリガー部材の露出部分を押操作すると前記逆Ｔ字状サブロック片が下方向に移動され、前記水平フランジと矩形状開口の窓内方側端縁との係合が解除されるとともに、逆Ｔ字状サブロック片のウエブが前記スリット状溝内に挿入可能な状態となり、摘み部の窓内方側への移動を許容するようにしたことを特徴とする上げ下げ窓の内倒しラッチ装置。
【請求項３】
前記トリガー部材から延在するバネ板部分がトリガー部材の押操作に伴う揺動によって変形し、元状態へ復元する付勢力を発揮するようにしてある請求項１，２いずれかに記載の上げ下げ窓の内倒しラッチ装置。
【発明の詳細な説明】
【０００１】
【発明の属する技術分野】
本発明は、上げ下げ窓の室内側障子において、上框の両側に夫々取り付けられ、窓枠に対する係合を係脱自在とすることにより、下框を回動中心として室内側障子を室内側に傾倒可能とした内倒しラッチ装置に関する。
【０００２】
【従来の技術】
従来より、障子を上下方向に開閉操作する上げ下げ窓が知られている。この種の上げ下げ窓では、図１０に示されるように、室内側障子６０の上框６０ａの両側に夫々、窓枠に対して係脱可能とした内倒しラッチ装置６１，６１が設けられている。この内倒しラッチ装置６１は、平常時は窓枠に係合し室内側障子６０の上下動をガイドし、ガラス清掃時等には窓枠に対する係合を解除することにより下框を回動中心として室内側障子を室内側に傾倒可能とするもので、前記内倒しラッチ６１の構造としては多くの場合、図１１に示されるように、窓枠側に付勢保持されたラッチ片６２を有し、このラッチ片６２の摘み部６２ａを摘んで付勢力に抗して没入側に引き込むことにより窓枠に対する係合を解除する構造となっている。
【０００３】
【発明が解決しようとする課題】
しかしながら、内倒しラッチ６１の操作ミスや清掃時に誤って摘み部６２ａに手が引っ掛かり窓枠に対する係合が解除されたり、子供等が誤って内倒しラッチ装置６１の窓枠に対する係合を解除してしまうと、障子６０が不意に内倒しされてしまい、非常に危険であるなどの問題があった。
【０００４】
そこで本発明の主たる課題は、簡単な構造によりサブロック機能を与え、障子が不意に内倒しされてしまう事態を回避するとともに、係合解除操作も手を持ち替えることなく１操作で行えるようにした上げ下げ窓の内倒しラッチを提供することにある。
【０００５】
【課題を解決するための手段】
前記課題を解決するために請求項１に係る本発明として、上げ下げ障子の上框に取り付けられるケースと、このケース内に収容され、窓枠に対する係合部分がケース外部に突出するとともに、ケース内に内設された付勢手段によって突出側に付勢保持されたラッチと、前記ケースに一体的に取り付けられ、窓内方側へのスライド操作によって前記付勢力に抗して前記ラッチを窓内方側に移動させ窓枠に対する係合を解除する摘み部と、この摘み部内部に、摘み部の窓内方側面に一部を露出した状態で没入側に揺動可能に内装され、サブロック機能を与えるトリガー部材とからなる上げ下げ窓の内倒しラッチ装置であって、
平常時は、前記トリガー部材から延在する部分がケースの一部に係合することにより前記摘み部の窓内方側への移動を阻止し、前記トリガー部材の露出部分を押操作すると前記トリガー部材から延在する部分の係合が解除され、摘み部の窓内方側への移動を許容するようにしたことを特徴とする上げ下げ窓の内倒しラッチ装置が提供される。
【０００６】
請求項２に係る本発明として、上げ下げ障子の上框に取り付けられるケースと、このケース内に収容され、窓枠に対する係合部分がケース外部に突出するとともに、ケース内に内設された付勢手段によって突出側に付勢保持されたラッチと、前記ケースに一体的に取り付けられ、窓内方側へのスライド操作によって前記付勢力に抗して前記ラッチを窓内方側に移動させ窓枠に対する係合を解除する摘み部と、この摘み部内部に、摘み部の窓内方側面に一部を露出した状態で没入側に揺動可能に内装され、サブロック機能を与えるトリガー部材とからなる上げ下げ窓の内倒しラッチ装置であって、
前記ケースの上面板であって前記摘み部との合わせ面部分に、矩形状の開口を形成するとともに、この矩形状開口の窓内方側端縁より部材長手方向に沿ってスリット状溝を形成し、前記トリガー部材から延在する逆Ｔ字状サブロック片の水平フランジを前記矩形状開口の窓内方側端縁に係合させることにより平常時は、前記摘み部の窓内方側への移動を阻止し、前記トリガー部材の露出部分を押操作すると前記逆Ｔ字状サブロック片が下方向に移動され、前記水平フランジと矩形状開口の窓内方側端縁との係合が解除されるとともに、逆Ｔ字状サブロック片のウエブが前記スリット状溝内に挿入可能な状態となり、摘み部の窓内方側への移動を許容するようにしたことを特徴とする上げ下げ窓の内倒しラッチ装置が提供される。
【０００７】
請求項３に係る本発明として、前記トリガー部材から延在するバネ板部分がトリガー部材の押操作に伴う揺動によって変形し、元状態へ復元する付勢力を発揮するようにしてある請求項１，２いずれかに記載の上げ下げ窓の内倒しラッチ装置が提供される。
【０００８】
【発明の実施の形態】
以下、本発明の実施の形態について図面を参照しながら詳述する。
図１は本発明に係る内倒しラッチ装置１の平面図であり、図２はその側面図、図３は図２のIII−III線矢視図である。
【０００９】
内倒しラッチ装置１は、上げ下げ障子の上框に取り付けられるケース３と、このケース３内に収容され、窓枠に対する係合部分がケース外部に突出するとともに、内設されたスプリング５等の付勢手段により窓枠方向に向けて付勢的に保持されたラッチ４と、前記ケース３の上面側に一体的に設けられ、左右方向へのスライド操作によって前記ラッチ４の窓枠に対する係合を解除する摘み部６と、この摘み部６の窓内方側面に一部を露出した状態で内装され、サブロック機能を与えるトリガー部材７とからなる装置である。
【００１０】
以下、具体的に詳述すると、
前記ケース３は、詳細には図６に示されるように、上面板３ａと、この上面板３ａの裏面側に一体的に設けられた断面Ｕ字状部材３ｂにより、左右方向に貫通するラッチ収容中空部３ｃが形成された部材で、前記上面板３ａであって摘み部６との合わせ面部分には矩形状の開口３ｄが形成されているとともに、この矩形状開口３ｄの反窓枠方向（以下、窓内方側という。）に連続してスリット状溝３ｅが形成されている。また、窓枠側には窓枠へのラッチ係止状態を目視確認できるように、後述のラッチ４に形成されたインジケータ部４ｂが出没される没入部３ｆを形成するための隆起部３ｇが形成され、前記断面Ｕ字状部材３ｂの下面の窓枠近傍側にはケース３を障子に固定するためにビス孔が形成された取付け用垂下片３ｈが形成されている。さらに、前記ラッチ収容中空部３ｃの窓内方側位置には、スプリング５の一方側端を係合させる突部３ｊが設けられるとともに、後述のラッチ４の抜止めを図る等ために柱壁部３ｉが形成されている。なお、この柱壁部３ｉはラッチ収容中空部３ｃの略中央に縦方向に沿って設けられ両側は閉鎖されていない。
【００１１】
前記ラッチ４は、詳細には図７に示されるように、相対的に窓枠側に位置するラッチ本体４Ａと、前記摘み部６と連結され一体的にスライド動作させるための摘み連結部４Ｂと、抜止め部４Ｃとから構成される部材である。
【００１２】
前記ラッチ本体４Ａは、先端部分に平面視で略三角形状の窓枠係合部４ａを有し、上面側には前記ケース３の没入部３ｆへの出没状態から窓枠への係止状態を確認するためにインジケータ部４ｂが形成されている。なお、前記窓枠係止部４ａが略三角形状をしているのは、障子を内倒しした状態から元の状態に戻した際、自動的に窓枠２への係合を成すためである。
【００１３】
前記摘み連結部４Ｂは、両側に配設された側壁４ｃ、４ｃによって構成され、内部は上下方向に貫通する略矩形状の通孔となっている。前記側壁４ｃ、４ｃの内面側には係止爪４ｅ、４ｅが左右対で設けられ、後述のように、摘み部６を窓内方側に移動した際、摘み部６の垂下片６ｅが衝突し、摘み部６の移動によってラッチ４が共に移動するようになっている。
【００１４】
前記抜止め部４Ｃは、水平方向に延在する左右対の足片４ｆ、４ｆからなり、これらの足片４ｆ、４ｆの先端には内方側に向けて係止爪４ｈ、４ｈが形成されている。また、足片４ｆ、４ｆの付け根部壁面にはスプリング５の他方端側に嵌合される突部４ｉが設けられている。
【００１５】
次に、前記摘み部６は、詳細には図８に示されるように、摘み本体６Ａと、この摘み本体６Ａの下面側に設けられた前記ラッチ４に対する係止部６Ｂとから構成されている。
【００１６】
前記摘み本体６Ａは、窓内方側端面が開口とされる中空体からなり、中空体内部の深部側には左右対のトリガー係止壁部６ａ、６ａが設けられているとともに、開口側端面近傍の側壁にはトリガー揺動軸孔６ｂ、６ｂが形成されている。また、底面の開口側端面から所定長さまでの区間が底部開口６ｃとされ、この底部開口端縁の中央位置からスリット状溝６ｄが形成されている。
【００１７】
前記トリガー係止部６Ｂは、左右一対で設けられた垂下片６ｅ、６ｅからなるもので、垂下片６ｅ、６ｅの先端には外側に向けた係止爪６ｆ、６ｆが形成されている。
【００１８】
最後に前記トリガー部材７は、詳細には図９に示されるように、トリガー本体７Ａと、このトリガー本体７Ａの底板から水平方向に延在するバネ板部７Ｂと、前記トリガー本体部７Ａの下面側に一体的に設けられ、ウエブ７ｆと水平フランジ７ｇからなる正面視で略逆Ｔ字状を成すサブロック片７Ｃとからなる部材である。前記トリガー本体７Ａは、上壁７ａ、端面側側壁７ｂ、底壁７ｃ、両側壁７ｄ、７ｄから構成された他方側端面が開口とされる中空ブロック状部材で、前記両側壁７ｄ、７ｄの外面には揺動軸部７ｅ、７ｅが突設されている。
【００１９】
前記バネ板部７Ｂは、前記底壁７ｃから延在される板状部材で、本トリガー部材７が摘み部６に内装された状態で、前記トリガー本体７Ａが前記揺動軸７ｅを回動中心として揺動した際、元状態へ復元する付勢力を与える。また、前記逆Ｔ字状サブロック片７Ｃは、ケース３の矩形状開口３ｄの縁部に対する係脱によって前記摘み部６の窓内方側への移動を阻止または許容し、サブロック機能を果たすようになっている。
【００２０】
前述した各部材３〜７の組立は、先ずケース３のラッチ収容中空部３ｃ内に窓枠側開口からスプリング５と共にラッチ４を挿入する。ラッチ４は、足片４ｆ、４ｆがラッチ収容中空部３ｃ内の柱壁部３ｉを通り抜ける状態まで挿入する。前記スプリング５は、図４に示されるように、ラッチ収容中空部３ｃ内の柱壁部３ｉの突部３ｊとラッチ４の突部４ｉとの間に介在されるようにする。
【００２１】
この組立て状態で前記ラッチ４は、前記スプリング５によって窓枠側方向に付勢され、スライド可能区間内で窓枠側へ最も移動した状態、すなわちラッチ本体４Ａの窓枠係合部４ａがケース外部に突出した状態で保持されることになる。なお、窓枠側への移動限界規制はラッチ４に設けられた掛止爪４ｅ、４ｅが摘み部６の垂下片６ｅに衝突することにより成され、窓内方側への移動限界規制は、ラット４の側壁４ｃ、４ｃに挟まれた矩形状の通孔端面が前記摘み部６の垂下片６ｅに衝突することにより成されるようになっている。
【００２２】
次に、摘み部６内にトリガー部材７を内装し、摘み部分の組立を行った後、前記ケース３部分に対して摘み部分を組み込むようにする。前記摘み部６とトリガー部材７との組立は、図４に示されるように、前記摘み部６の開口端面からトリガー部材７のバネ板部７Ｂを挿入し、前記バネ板部７Ｂの先端を摘み部６のトリガー係止壁部６ａ、６ａの上部に係止させるとともに、トリガー部材７の逆Ｔ字状サブロック片７Ｃを摘み部６のスリット状溝６ｄを通して外部に突出させた状態とし、トリガー部材７の揺動軸部７ｅ、７ｅを摘み部６のトリガー揺動軸孔６ｂ、６ｂに夫々嵌合させるようにする。この組み立て状態で、摘み部６の窓内方側端面は前記トリガー部材７のトリガー本体７Ａによって封鎖されるとともに、トリガー本体７Ａが摘み部６の開口端面から若干突出した状態となる。
【００２３】
前記トリガー部材７が組み込まれた摘み部６は、下面側のトリガー係止部６Ｂをケース３の矩形状開口３ｄから挿入し、垂下片６ｅ、６ｅをラッチ４の側壁４ｃ、４ｃに対して係止させるようにして取付ける。この取付け状態では図３に示されるように、前記垂下片６ｅ、６ｅの係止爪６ｆ、６ｆが前記側壁４ｃ，４ｃの下端に係止し、抜け出ないように保持されるようになっているとともに、摘み部６を窓内方側に移動させた際には、前記垂下片６ｅ、６ｅが側壁４ｃ、４ｃに設けられた係止爪４ｅ、４ｅに衝突することにより摘み部６の移動に伴ってラッチ４を窓内方側に移動するようになっている。なお、前記垂下片６ｅが衝突する係止爪４ｅを前記垂下片６ｅの窓内方側にのみ設けることにより、障子を内倒しした状態から元の状態に戻した際、ラッチ４のみが没入動作し、前記摘み部６は不動のままとなるように構成されている。
【００２４】
また、前記摘み部６の設置状態では、トリガー部材７の逆Ｔ字状サブロック片７Ｃの水平フランジ７ｇがケース３の矩形状開口３ｄの窓内方側端縁に係合する状態となり、摘み部６の窓内方側への移動が阻止されるようになっている。
【００２５】
この状態から障子を内倒しするためにラッチ４と窓枠２との係合を解除するには、図５に示されるように、摘み部６の窓枠側端面Ａと、トリガー本体７Ａが露出している窓内方側端面Ｂとを摘み、トリガー本体７Ａを前記揺動軸部７ｅ、７ｅを回動中心として没入側に揺動動作させる。すると、摘み部６の底面から外部に突出している逆Ｔ字状サブロック片７Ｃがさらに下方側に移動し、逆Ｔ字状サブロック片７Ｃの水平フランジ７ｇと矩形状開口３ｄの窓内方側端縁との係合が解除されるようになるとともに（同図符号(1)動作）、逆Ｔ字状サブロック片７Ｃのウエブ７ｆがスリット状溝３ｅ内に挿入可能な状態となるため、摘み部６が窓内方側に移動できるようになる（同図符号(2)動作）。
【００２６】
したがって、摘み部６の窓枠側端面とトリガー本体７Ａとを摘んだ状態のまま摘み部６を窓内方側に移動させることによりラッチ４と窓枠２との係合が解除され、障子を内倒しできるようになる。なお、摘み部６から手を離すと、前記トリガー本体７Ａはバネ板部７Ｂによる付勢力によって元の状態に復元される。
【００２７】
【発明の効果】
以上詳説のとおり本発明によれば、摘み部に対しトリガー部材を追加するだけの簡単な構造変更によりサブロック機能を与えることができるようになり、障子が不意に内倒しされてしまう事態を回避できるようになる。
【００２８】
また、係合解除操作は、摘み部の窓枠側端面と、トリガー本体が露出した窓内方側端面とを摘んだ状態のまま、摘み部を窓内方側に移動させることによって行うことができるなど、手を持ち替えることなく１操作で行えるようになる。
【図面の簡単な説明】
【図１】  本発明に係る内倒しラッチ装置１の平面図である。
【図２】  その側面図である。
【図３】  図２のIII−III線矢視図である。
【図４】  内倒しラッチ装置１の縦断面図である。
【図５】  窓枠との係合解除動作を説明するためのラッチ装置１の縦断面図である。
【図６】  ケース３を示す、(A)は平面図、(B)は側面図、(C)は縦断面図である。
【図７】  ラッチ４を示す、(A)は平面図、(B)は側面図、(C)は縦断面図である。
【図８】  摘み部６を示す、(A)は側面図、(B)は底面図、(C)は縦断面図、(D)は左正面図である。
【図９】  トリガー部材７を示す、(A)は平面図、(B)は側面図、(C)は底面図、(D)は左正面図である。
【図１０】  上げ下げ窓の正面図である。
【図１１】  ラッチ装置６１の腰部拡大平面図である。
【符号の説明】
１…内倒しラッチ装置、２…窓枠、３…ケース、３ａ…上面板、３ｃ…ラッチ収容中空部、３ｄ…矩形状開口、３ｅ…スリット状溝、４…ラッチ、４ａ…窓枠係合部、５…スプリング、６…摘み部、７…トリガー部材、７Ａ…トリガー本体、７Ｂ…バネ板部、７Ｃ…逆Ｔ字状サブロック片、７ｆ…ウエブ、７ｇ…水平フランジ
【図１】
0003772968.tif 000002
【図２】
0003772968.tif 000003
【図３】
0003772968.tif 000004
【図４】
0003772968.tif 000005
【図５】
0003772968.tif 000006
【図６】
0003772968.tif 000007
【図７】
0003772968.tif 000008
【図８】
0003772968.tif 000009
【図９】
0003772968.tif 000010
【図１０】
0003772968.tif 000011
【図１１】
0003772968.tif 000012